(57)【要約】      （修正有）【課題】二次濾過手段を講じたと同じような濾過精度の濾過済切削油を流出する回転濾過ドラムを提供する。【解決手段】円周に沿って所望の間隔でフィルター張設枠取付窓１４を穿設し、該窓に回転濾過ドラムの胴周に配設したフィルター１７Ａのメッシュよりメッシュの細いフィルター１６Ａを張設したフィルター張設枠を取り付ける円板１５とし、対向側に配する他方の円板１１は、一方側に配する円板１５の中心と中心を同心とする回転軸１２としての機能を果たし、且つ、濾過済切削油流出口１９としての機能を果たす円形環を取り付けた円板１１とし、両円板を支持杆を以て支持した胴体を形成し、該胴体に所望のメッシュのフィルター１７Ａを巻き付け状態で配設して回転濾過ドラムとする。【選択図】図２
2010082543.tif 000002
【特許請求の範囲】
【請求項１】
使用済切削油を濾過する装置の濾過槽に配設する動力伝達を受けて回転する回転濾過ドラムであって、
一方の円板は、濾過済切削油流出機能を有し、且つ、回転軸としての機能も備えた環状筒を同心として固定した環状筒付円板とし、他方の円板は、前記環状筒付円板と同心の回転軸貫通穴を設け、円周に沿ってフィルター張設枠取付窓を所望の間隔を隔てて設けたフィルター張設枠取付窓付円板とし、前記両円板を対設固定して胴体とし、胴体の外周にフィルターを巻き付けた状態で張設するとともに、フィルター張設枠取付窓付円板のフィルター張設枠取付窓には、前記胴体に張設したフィルターのメッシュよりも細いメッシュのフィルターを張設したフィルター枠を取り付けた濾過ドラムとして形成したフィルター張設枠取付窓付円板の外側には、前記両円板と同心とした回転軸貫通穴を設け、円周に沿って濾過済切削油流出穴を設け、フィルター張設枠取付窓を覗く窓を設け、且つ、円周には、フィルター張設枠取付窓付円板の円周を回転自在に保持する抱え込み機構を形成して成る外側円板を該外側円板の抱え込み機構に液漏れ防止材を介在させてフィルター張設枠取付窓付円板の円周を嵌合して配し、
外側円板の回転軸貫通穴には、濾過ドラムを構成するフィルター張設枠取付窓付円板の回転軸貫通穴に回転軸を貫通し、
濾過槽の一方の側板には、回転軸受を設け、該回転軸受けには回転濾過ドラムの環状筒付円板の環状筒を回転自在に軸支し、濾過槽の他方の側板には、濾過済切削油流出口とフィルター張設取付窓を覗く窓を設け、該濾過済切削油流出口と外側円板の濾過済切削油流出穴を連結し、外側円板を濾過槽の他方の側板に固定する構成としたことを特徴とする回転濾過ドラム。
【発明の詳細な説明】
【技術分野】
【０００１】
本発明は、金属を切削加工する工場から排出される切粉と称する大小様々な金属切削屑を混入した切削油（以下使用済切削油という）を投入する投入口を配し、底板の一方を延長して立ち上がり傾斜板とし、その先端を使用済切削油から分離した切粉の切粉排出部とし、前記した底板の他方と切粉排出部の間に、前記使用済切削油中に混入した切粉であって底板に沈澱堆積した切粉を掻き取り、その切粉を切粉排出部まで搬送する機材としての無端スクレーバコンベヤ、或いは投入される使用済切削油中から、使用済切削油中に混入した切粉を受け止めて、その切粉を切粉排出部まで搬送するヒンジコンベヤ、エプロンコンベヤを回動自在に懸架して成る濾過装置の濾過槽内に、回動自在として配設する前記した使用済切削油の濾過機材としての回転濾過ドラムに関する発明である。
【背景技術】
【０００２】
金属を切削加工する工場から排出される使用済切削油を濾過する装置には、特公平７年第２０４４２７号公報、特公平７年第４１５０９号公報、特開平３年第２９４１４２号公報、実公平７年第１３７６９号公報に開示された型式のものがある。前記した公報に開示された型式の濾過装置の概要は、前記した技術分野の項に記載したとおりである。
【０００３】
これまでの濾過装置の濾過槽に配設される回転濾過ドラムは、前記した文献の図示実施例の記載から明らかなとおり、一方には回転軸を中心に取り付けた円板を配し、その円板の対向側には、前記円板の中心と中心を同心とする回転軸としての機能を果たし、且つ、濾過済切削油流出口としての機能を果たす円形環を取り付けた円板を配し、両円板を支持杆を以て支持した胴体を形成し、該胴体に所望のメッシュのフィルターを巻き付けた状態で配設した回転濾過ドラムとし、この回転濾過ドラムを駆動源からの駆動力の伝達を受けて回転するよう濾過槽に回転自在に軸支する構成としていた。
ところで、前記したフィルターは、メッシュが細かければ細いほど使用済切削油から小さな切粉を分離して、使用済切削油を濾過精度の高い濾過済切削油として回転濾過ドラム内に流入させることができ、この濾過済切削油を回転濾過ドラムの回転軸でもあり、濾過済切削油流出口でもある円形環から濾過槽外に流出できるはずであるが、そのメッシュが細かければ、使用済切削油がフィルターを通過しにくくなるので、自ずからそのメッシュの細かさに限度があった。
【０００４】
従って、現実には、回転濾過ドラム中に切粉を分離して流入する濾過済切削油は好ましくない大きさの切粉まで混入した状態で流入し、これが、回転濾過ドラムの回転軸でもあり、濾過済切削油流出口でもある円形環から濾過槽外に流出されるということになっていた。そのため、前記した濾過済切削油から、好ましくない大きさの切粉を除去するためには、二次濾過手段を講じなければならなかった。
【特許文献１】特公平７年第２０４４２７号公報
【特許文献２】特公平７年第４１５０９号公報
【特許文献３】特開平３年第２９４１４２号公報
【非特許文献１】実公平７年第１３７６９号公報
【発明の開示】
【発明が解決しようとする課題】
【０００５】
本発明は、これまでの回転濾過ドラムの前記した不都合を解消し、二次濾過手段を講じなくとも、二次濾過手段を講じたと同じような濾過精度の濾過済切削油を流出する回転濾過ドラムを提供しようとするものである。
【課題を解決するための手段】
【０００６】
本発明は、これまでの濾過装置の濾過槽に配設された回転濾過ドラムの濾過機能の不都合を解消するため次の通りの構成とした。その構成は、回転濾過ドラムを構成する一方側に配する円板を、円周に沿って所望の間隔でフィルター張設枠取付窓を穿設し、該窓に回転濾過ドラムの胴周に配設したフィルターのメッシュよりメッシュの細いフィルターを張設したフィルター張設枠を取り付ける円板とし、対向側に配する他方の円板は、従来どおり一方側に配する円板の中心と中心を同心とする回転軸としての機能を果たし、且つ、濾過済切削油流出口としての機能を果たす円形環を取り付けた円板とし、両円板を支持杆を以て支持した胴体を形成し、該胴体に所望のメッシュのフィルターを巻き付け状態で配設して回転濾過ドラムとし、この回転濾過ドラムを駆動源からの駆動力の伝達を受けて回転するよう、濾過槽に回転自在に軸支する構成とした。
【発明の効果】
【０００７】
前記した通りに構成した本発明に係る回転濾過ドラムによれば、濾過装置の濾過槽に投入された使用済切削油は、濾過槽内で駆動源からの駆動力の伝達を受けて回転する回転濾過ドラムの胴周に張設されたフィルターにより、回転濾過ドラム内には或る程度の大きさの切粉は分離されて、比較的小さな切粉を混入された濾過済切削油として流入する。この濾過済切削油は、そのままの状態で回転濾過ドラムの回転軸でもあり、濾過済切削油流出口でもある円形環から流出して回収されるものと、回転濾過ドラムに設けられたフィルター張設枠取付窓に取り付けられたフィルター張設枠に張設されたフィルターから更に比較的小さな切粉が分別されて濾過精度の高い濾過済切削油として濾過槽かｒ流出されて回収されるものとに分けられる。
【実施例１】
【０００８】
本発明に係る回転濾過ドラムは、金属切削加工を行う工場から排出される使用済切削油を濾過する濾過装置の濾過槽内に、配設する機材であって濾過槽に投入された使用済切削油中に混入した切粉を該使用済切削油から分離し、切削油とする機材である。その構成を図面に基づいて説明する。
【０００９】
本発明に係る回転濾過ドラムを配設する濾過装置の濾過槽の構造型式には、いろいろな構成形式のものがあることは背景技術の項に例示したとおりであるが、その１構造型式を特開平７年第４１５０９号公報に開示された型式のものを図１に例示して説明する。図１に図示する濾過装置の濾過槽１は、使用済切削油を投入する投入口２を有し、底板３の一方を延長した立ち上がり傾斜板４とし、その先端を切粉排出部５として構成される。
【００１０】
その濾過槽１内には、底板３の他方側と切粉排出部の側にスプロケット６、７を配し、そのスプロケットを跨いで、無端スクレーバコンベヤ８を回動自在に懸架し、それと回転濾過ドラム１０を配設した構成としている。
【００１１】
無端スクレーバコンベヤ８を回動自在に懸架する前記スプロケット６、７の一つは、駆動源（図示しない）からの駆動力の伝達を受けて回転する構成としている。
【００１２】
前記した構成の濾過槽１内に投入された使用済切削油は、混入した切粉が自重により底板３に沈澱堆積することになる。
この切粉は、濾過槽内に回動自在に懸架された無端スクレーバコンベヤ８のスクレーバ８Ａによって掻き集められながら切粉排出部５まで移送され、切粉排出部５から濾過槽１外に排出される。
【００１３】
回転濾過ドラム１０の駆動力伝達手段は、いろいろ考えられるが、その１例として無端スクレーバ８の無端帯をチェンとし、回転濾過ドラム１０の円板を歯車形式の円板とし、前記した文献に図示実施例として記載されているように本発明の回転濾過ドラム１０は濾過槽１内に回動自在に懸架した無端スクレーバコンベ８の回動力を歯車形式の円板が噛み合わせて受けるようにしてもよいことは勿論である。
【００１４】
本発明は、前記した文献の図示実施例に記載されているこれまでの型式の濾過装置の濾過槽に配設される回転濾過ドラムの濾過機能の不都合を解消するために開発された発明である。
【００１５】
本発明の回転濾過ドラム１０の構成材を図２に図示する。
一方の円板（無端スクレーバコンベヤの無端帯であるチェンと噛合して回転する歯車型とした円板）は、濾過済切削油流出機能を有し、且つ、回転軸としての機能も備えた環状回転軸１２を同心として固定した環状回転軸付円板１１とし、他方の円板（無端スクレーバコンベヤの無端帯であるチェンと噛合して回転する歯車型とした円板）は、前記環状回転軸付円板１１と同心の回転軸貫通穴１３を設け、円周に沿ってフィルター張設枠取付窓１４を所望の間隔を隔てて設けたフィルター張設枠取付窓付円板１５とし、前記両円板１１、１５は、支持杆１０Ａを胴体骨として対設固定して胴体として構成する。
該胴体は外周にフィルター１７Ａを巻き付けた状態で張設するとともに、フィルター張設枠取付窓付円板１５にはフィルター張設枠取付窓１４に胴体の外周に巻き付け状態で張設したフィルターのメッシュより細いメッシュのフィルター１６Ａを張設したフィルター枠１６を取り付けた濾過ドラム１７として形成する。
【００１６】
濾過ドラム１７を形成したフィルター張設枠取付窓付円板１５の外側には、前記両円板１１、１５と同心とした回転軸貫通穴１８を設け、円周に沿った濾過済切削油流出穴１９を設け、フィルター張設枠取付窓を覗く窓２０を設け、且つ、円周にフィルター張設枠取付窓付円板１５の円周を回転自在に保持する抱え込み機構２１を形成して成る外側円板２２を配設する。該外側円板２２の抱え込み機構２１に液漏れ防止材（図示しない）を介在させて図４に図示するようにフィルター張設枠取付窓付円板１５の円周を回転自在として嵌合して配設する。
【００１７】
外側円板２２の回転軸貫通穴１８には、濾過ドラム１７を構成するフィルター張設枠取付窓付円板１５の回転軸貫通穴１３を貫通する回転軸２３を貫通する。これを以て回転濾過ドラム１０とする。
【００１８】
濾過槽１の一方の側板１Ａには、環状回転軸付円板１１の環状回転軸１２を軸支する回転軸受１Ｂを設け、該回転軸受１Ｂには従来どおり回転濾過ドラム１０の環状回転軸付円板１１の環状回転軸１２を回転自在に軸支する。濾過槽１の他方の側板１Ｃには、本発明特有の濾過済切削油流出口１Ｄを設け、回転濾過ドラム１０の濾過ドラム１７の構成材である外側板２２に設けたフィルター張設枠取付窓を覗く窓２０の対応個所に透穴１Ｅを設け、該濾過済切削油流出口１Ｄと外側円板２２の濾過済切削油流出穴１９とを連結筒、或いは所望の手段で連結し、外側円板２２を濾過槽１の他方の側板１Ｃに固定し、また、前記透穴１Ｅと前記覗き穴２０とを一致する構成とした。
【００１９】
前記の構成から成る回転濾過ドラム１０の濾過ドラム１７を回転する手段は、図１、図３、図４に図示するように回転濾過ドラム１０の濾過ドラム７が無端スクレーバコンベヤ８の回動力の伝達を受けて回転するように濾過槽内に配設する構成を例示した。
即ち、図示実施例では、本発明の回転濾過ドラム１０の濾過ドラム１７を回転する手段について濾過槽１内に回動自在に懸架した無端スクレーバコンベヤ８の無端帯の回動力を前記回転濾過ドラム１０の濾過ドラム１７を構成する円板１１、１５が受けて回転する構成として図示した。
【００２０】
使用済切削油を投入された濾過槽１内で、回転濾過ドラム１０が、前記使用済切削油中に回転自在に浸漬する状態を図３、図４に示す。
回転濾過ドラム１０の濾過ドラム１７を構成する環状回転軸付円板１１の環状回転軸１２、並びにこの環状回転軸１２を軸支する濾過槽１の一方の側板１Ａに設けた回転軸受１Ｂ、回転濾過ドラム１０の濾過ドラム１７を構成するフィルター張設枠取付窓付円板１５に形成されたフィルター枠取付窓１４、該フィルター張設枠取付窓付円板１５の外側に配設する外側円板２１に形成した濾過済切削油流出穴１９、並びに濾過槽の他方の側板１Ｃに設けた濾過済切削油流出口１Ｄから回転濾過ドラム１０内の濾過済切削油が濾過槽１に隣接された回収凾４１に落差を生じて流出する程度まで浸漬する状態で回転させる。
【００２１】
このときは、濾過槽１内に投入された使用済切削油は回転濾過ドラム１０の濾過ドラム１７の外周に配設したフィルター１７Ａを通して回転濾過ドラム１０の濾過ドラム１７内に流れ込むことになる。しかし、使用済切削油中に混入した切粉は、前記したフィルター１７Ａによりそのフィルター１７Ａのメッシュ以上の大きさの切粉は通過は阻止される。従って、前記したフィルター１７Ａを通過して回転濾過ドラム１０の濾過ドラム１７内には、前記した切粉が除外された小さな切粉を混入した濾過済切削油として流入することになる。
【００２２】
ただし、この濾過済切削油は、前記したフィルター１７Ａで除外されずに前記フィルターを通過した細い切粉を混入した濾過済切削油として流入することになる。
【００２３】
また、回転濾過ドラム１０の濾過ドラム１７内に流入した前記した濾過済切削油は、回転濾過ドラム１０の濾過ドラム１７を構成するフィルター張設枠取付窓付円板１５に穿設されたフィルター張設枠窓１４からも、該窓に配設されたフィルター張設枠１６に張設されたフィルター１６Ａにより、濾過済切削油に混入した細い切粉を除外した濾過精度の高い濾過済切削油として濾過槽１に隣接して設けられた別の回収凾５１に落差を生じて流出して回収される。
【００２４】
回転濾過ドラム１０を構成する濾過ドラム１７の外周に張設したフィルター１７Ａ、並びに回転濾過ドラム１０を構成する濾過ドラム１７１５の一方のフィルター張設枠取付窓付円板に形成したフィルター張設枠取付窓１４に配設されたフィルター張設枠１６に張設したフィルター１６Ａに付着した切粉を、前記フィルターから除外するための液体、或いは空気を噴射するノズル３１、３２が図３、図４に図示するように配設される。
【００２５】
濾過槽に投入された大小様々な切粉を混入した使用済切削油は、濾過槽１内に配設された回転濾過ドラム１０の濾過ドラムの１７の胴体の円周に巻き付け状態で張設されたフィルター１７Ａを通過して回転濾過ドラム１０内に流れ込む際に、使用済切削油中に混入された切粉は、前記したフィルターにより通過を阻止される。即ち、前記したフィルター１７Ａにより、使用済切削油中に混入された切粉は使用済切削油中から分離されてフィルター１７Ａの表面に付着することになる。この切粉をフィルター表面から取り除かなければフィルターの濾過能力を阻害することになる。
【００２６】
前記したフィルター１７Ａの表面に付着した切粉を取り除くため、濾過済み切削油流出口、並びに回転軸でもある円形環から内側、或いは外側に向けて濾過済切削油或いはエアーを噴射するノズル３１を差し込んで配設する。このノズルから噴射される濾過済切削油、或いはエアーは回転濾過ドラムの濾過ドラムに巻き付け状態で張設したフィルター、回転濾過ドラムのフィルター張設枠取付窓１５に配設されたフィルター張設枠１６に張設されたフィルター１６Ａを前記した濾過済切削油、或いはエアーにより前記したフィルターに付着した切粉を取り除き、フィルターの濾過機能を維持する。
【００２７】
使用済切削油中から切粉が分離されて回転濾過ドラム内に流れ込んだ濾過済切削油の濾過精度を高めるため、該濾過済切削油中に混入した細かい切粉を取り除くために本発明は、回転濾過ドラム１０の濾過ドラム１７の構成材であるのフィルター張設枠取付窓付円板１５に形成した窓に回転濾過ドラムの胴体の円周に巻き付け状態で配設したフィルター１７Ａより細いメッシュのフィルター１６Ａを張設し、このフィルターによって回転濾過ドラム中に流入した濾過済切削油中に混入した細い切粉を分離し、濾過精度の高い濾過済切削油として、前記した円板の窓に配設されたフィルター１６Ａを通して流出することにしている。
【００２８】
このフィルターにも回転濾過ドラムに流入した濾過済切削油を濾過精度を高めた濾過済切削油として回転濾過ドラムのフィルター張設枠取付窓円板の該窓に取り付けられたフィルター張設枠に張設されたフィルターを通して濾過ドラム外に流出するとき、該濾過済切削油中に混入した細い切粉が該フィルターに付着する。
これをそのままにしておくとフィルターの濾過機能を阻害することになるので、このフィルターに付着した切粉を取り除くための手段を講ずる必要がある。その手段は濾過槽の他方の側板１Ｃに設けた透穴１Ｅを等して回転濾過ドラム外から回転濾過ドラムの内側に向かって濾過済切削油、或いはエアーを噴射するノズル３２を配する。或いは回転濾過ドラムの内側からノズルを配設する。
【００２９】
このノズルからの濾過済切削油、或いはエアーの噴射によって前記フィルターに付着した切粉を取り除き、フィルターの濾過能力を維持する。
【００３０】
回転濾過ドラムを前記のような構成とすることによって濾過精度の高い濾過済切削油も得ることができる。
【図面の簡単な説明】
【００３１】
【図１】本発明の回転濾過ドラムを配設する濾過装置の断面概略図である。
【図２】本発明の回転濾過ドラムの構成材の分解斜視図である。
【図３】図１のＡ−Ａ線断面図である。
【図４】図１の一部切欠断面拡大図である。
【符号の説明】
【００３２】
１Ｂ    回転軸受
１０    回転濾過ドラム
１１    環状回転軸付円板
１２    環状回転軸１２
１３    回転軸貫通穴
１４    フィルター張設枠取付窓
１５    フィルター張設枠取付窓付円板
１６    フィルター枠
１７    濾過ドラム
１８    回転軸貫通穴
１９    濾過済切削油流出穴
２０    覗く窓
２３    回転軸
【図１】
2010082543.tif 000003
【図２】
2010082543.tif 000004
【図３】
2010082543.tif 000005
【図４】
2010082543.tif 000006